(57)【特許請求の範囲】
【請求項１】
ヒンジセンターを中心に回転する第１部材が、第２部材と接触することなく回転可能であるか否かを判定するための車両用ボデー設計支援装置であって、
前記第１部材及び前記第２部材の形状と、前記第１部材、前記第２部材及び前記ヒンジセンターの位置関係とを示す評価対象車両情報を記憶しておくための評価対象車両情報記憶手段と、
前記評価対象車両情報記憶手段上の前記評価対象車両情報に基づき、前記第１部材と前記第２部材との間の間隙形状を示す線である境界形状線と交わる複数の面で切断した前記第１部材の各切断面の外形線である断面外形線を表す断面外形線情報を作成する断面外形線情報作成手段と、
前記断面外形線情報作成手段によって作成された各断面外形線情報と前記評価対象車両情報記憶手段上の前記評価対象車両情報とに基づき、各断面外形線情報が表している断面外形線上の前記ヒンジセンターから距離が最も短い点の位置を特定すると共に、位置を特定した各点を通るかじりハード線を表すかじりハード線情報を作成するかじりハード線情報作成手段と、
前記かじりハード線情報作成手段によって作成された前記かじりハード線情報と前記評価対象車両情報記憶手段上の前記評価対象車両情報とに基づき、前記かじりハード線情報が表している前記かじりハード線を前記ヒンジセンターを中心に回転させた場合における前記かじりハード線の軌跡面を表す軌跡面情報を作成する軌跡面情報作成手段と、
前記軌跡面情報作成手段により作成された前記軌跡面情報と前記評価対象車両情報記憶手段上の前記評価対象車両情報とに基づき、前記軌跡面情報が表している前記軌跡面と前記第２部材との間の隙間があるか否かを判定して判定結果を出力する判定手段と
を備えることを特徴とする車両用ボデー設計支援装置。
【請求項２】
前記断面外形線情報作成手段が、
前記評価対象車両情報記憶手段上の前記評価対象車両情報に基づき、前記境界形状線と直交する複数の面で切断した前記第１部材の各切断面についての断面外形線を表す断面外形線情報を作成する手段である
ことを特徴とする請求項１記載の車両用ボデー設計支援装置。
【請求項３】
前記断面外形線情報作成手段によって作成された各断面外形線情報について、その断面外形線情報が表している断面外形線を指定されている方向に指定されている距離だけ平行移動させた第２断面外形線を表す第２断面外形線情報を作成する第２断面外形線情報作成手段を、さらに備え、
前記かじりハード線情報作成手段が、前記第２断面外形線情報作成手段によって作成された各第２断面外形線情報も処理する手段である
ことを特徴とする請求項１又は請求項２に車両用ボデー設計支援装置。
【請求項４】
前記判定手段が、
前記軌跡面と前記第２部材とが示されている画像を表示装置に表示する機能を有する手段である
ことを特徴とする請求項１乃至請求項３のいずれかに記載の車両用ボデー設計支援装置。
【請求項５】
ヒンジセンターを中心に回転する第１部材が、第２部材と接触することなく回転可能であるか否かを判定するための車両用ボデー設計支援方法であって、
コンピュータに、
前記第１部材及び前記第２部材の形状と、前記第１部材、前記第２部材及び前記ヒンジセンターの位置関係とを示す評価対象車両情報に基づき、前記第１部材と前記第２部材と
の間の間隙形状を示す線である境界形状線と交わる複数の面で切断した前記第１部材の各切断面の外形線である断面外形線を表す断面外形線情報を作成する断面外形線情報作成ステップと、
前記断面外形線情報作成ステップにより作成された各断面外形線情報と前記評価対象車両情報とに基づき、各断面外形線情報が表している断面外形線上の前記ヒンジセンターから距離が最も短い点の位置を特定すると共に、位置を特定した各点を通るかじりハード線を表すかじりハード線情報を作成するかじりハード線情報作成ステップと、
前記かじりハード線情報作成ステップにより作成された前記かじりハード線情報と前記評価対象車両情報とに基づき、前記かじりハード線情報が表している前記かじりハード線を前記ヒンジセンターを中心に回転させた場合における前記かじりハード線の軌跡面を表す軌跡面情報を作成する軌跡面情報作成ステップと、
前記軌跡面情報作成ステップにより作成された前記軌跡面情報と前記評価対象車両情報とに基づき、前記軌跡面情報が表している前記軌跡面と前記第２部材との間の隙間があるか否かを判定して判定結果を出力する判定ステップと
を実行させることを特徴とする車両用ボデー設計支援方法。
【発明の詳細な説明】
【技術分野】
【０００１】
本発明は、車両の設計作業を支援するための車両用ボデー設計支援装置及び車両用ボデー設計支援方法に係り、特に、ヒンジセンターを中心に回転する第１部材（フード等）が第２部材（フェンダ等）と接触することなく回転可能であるか否かのチェック作業を支援するための車両用ボデー設計支援装置及び車両用ボデー設計支援方法に関する。
【背景技術】
【０００２】
車両を構成する各パーツ（フード、フェンダ、ドア等）の形状設計は、いわゆるＣＡＤシステム（例えば、特許文献１、２参照。）を用いて行われている。
【０００３】
また、フード等が、他のパーツと接触することなく（他のパーツをかじることなく）開閉（回転）可能であるかについてのチェック（以下、干渉有無チェックと表記する）も、ＣＡＤシステムを用いて行われている。ただし、干渉有無チェックが可能な既存のＣＡＤシステムは、図１３に示したように、車両に関する各種情報（意匠面、見切線等の形状及び位置を示す情報、フードの回転中心であるヒンジセンタの位置を示す情報等）に基づき、フードやフェンダの３Ｄモデリングを行った後、その３Ｄモデリング結果に基づきフードの回転軌跡面を作成し、作成した回転軌跡面とフェンダとの間に隙間があるか否かを判断するものとなっている。
【０００４】
すなわち、干渉有無チェックが行える既存のＣＡＤシステムは、３Ｄモデリングが可能な情報を入力すれば、干渉有無チェックを行えるが、そのような情報を入力できない場合（そのような情報がまだ用意できていない場合）には、干渉有無チェックを行うことが出来ないものとなっている。
【０００５】
また、干渉有無チェックが行える既存のＣＡＤシステムは、３Ｄモデリングを行うものであるが故に、干渉有無チェックに比較的に時間がかかるものとなっている。そして、干渉有無チェックは、フェンダとフードとが干渉していた場合、ヒンジセンターの位置等を変更した後、再度、行わなければならないものであるため、より短時間で干渉有無チェックを行える技術が望まれる。
【０００６】
【特許文献１】特許第４０１０１５０号公報
【特許文献２】特開平１０−２６９２５４号公報
【発明の開示】
【発明が解決しようとする課題】
【０００７】
そこで、本発明の課題は、干渉有無チェック〔ヒンジセンターを中心に回転する第１部材（フード等）が、第２部材（フェンダ等）と接触することなく回転可能であるか否かの判定〕が短時間で行える車両用ボデー設計支援装置及び車両用ボデー設計支援方法であって、情報が不足しているため３Ｄモデリングを行えない場合にも利用できる車両用ボデー設計支援装置及び車両用ボデー設計支援方法を提供することにある。
【課題を解決するための手段】
【０００８】
上記課題を解決するために、本発明の、ヒンジセンターを中心に回転する第１部材が第２部材と接触することなく回転可能であるか否かを判定するための車両用ボデー設計支援装置は、前記第１部材及び前記第２部材の形状と、前記第１部材、前記第２部材及び前記ヒンジセンターの位置関係とを示す評価対象車両情報を記憶しておくための評価対象車両情報記憶手段と、前記評価対象車両情報記憶手段上の前記評価対象車両情報に基づき、前
記第１部材と前記第２部材との間の間隙形状を示す線である境界形状線と交わる複数の面で切断した前記第１部材の各切断面の外形線である断面外形線を表す断面外形線情報を作成する断面外形線情報作成手段と、前記断面外形線情報作成手段によって作成された各断面外形線情報と前記評価対象車両情報記憶手段上の前記評価対象車両情報とに基づき、各断面外形線情報が表している断面外形線上の前記ヒンジセンターから距離が最も短い点の位置を特定すると共に、位置を特定した各点を通るかじりハード線を表すかじりハード線情報を作成するかじりハード線情報作成手段と、前記かじりハード線情報作成手段によって作成された前記かじりハード線情報と前記評価対象車両情報記憶手段上の前記評価対象車両情報とに基づき、前記かじりハード線情報が表している前記かじりハード線を前記ヒンジセンターを中心に回転させた場合における前記かじりハード線の軌跡面を表す軌跡面情報を作成する軌跡面情報作成手段と、前記軌跡面情報作成手段により作成された前記軌跡面情報と前記評価対象車両情報記憶手段上の前記評価対象車両情報とに基づき、前記軌跡面情報が表している前記軌跡面と前記第２部材との間の隙間があるか否かを判定して判定結果を出力する判定手段とを、備える。
【０００９】
すなわち、本発明の車両用ボデー設計支援装置は、３Ｄモデリングを必要としない比較的に単純な内容の処理により、干渉有無チェック〔ヒンジセンターを中心に回転する第１部材（フード等）が第２部材（フェンダ等）と接触することなく回転可能であるか否かの判定〕を行う構成を有している。従って、この車両用ボデー設計支援装置は、３Ｄモデリング後に干渉有無チェックを行う装置よりも、干渉有無チェックが短時間で完了する装置であることになる。また、車両用ボデー設計支援装置は、評価対象車両情報に含まれる第１部材に関する情報が、複数の断面外形線情報を作成できるものでありさえすれば、３Ｄモデルを生成できないものであっても、干渉有無チェックを行えるものとなっている。このため、車両用ボデー設計支援装置は、情報が不足しているため３Ｄモデリングを行えない場合にも利用できる装置でもあることになる。
【００１０】
本発明の車両用ボデー設計支援装置を実現するに際しては、断面外形線情報作成手段として、前記評価対象車両情報記憶手段上の前記評価対象車両情報に基づき、前記境界形状線と直交する複数の面で切断した前記第１部材の各切断面についての断面外形線を表す断面外形線情報を作成する手段を採用しておくことが出来る。
【００１１】
また、本発明の車両用ボデー設計支援装置を、「前記断面外形線情報作成手段によって作成された各断面外形線情報について、その断面外形線情報が表している断面外形線を指定されている方向に指定されている距離だけ移動させた第２断面外形線を表す第２断面外形線情報を作成する第２断面外形線情報作成手段を、さらに備え、前記かじりハード線情報作成手段が、前記第２断面外形線情報作成手段によって作成された各第２断面外形線情報も処理する手段である装置」として実現しておくことも出来る。換言すれば、本発明の車両用ボデー設計支援装置を、いわゆる建付バラツキ（断面外形線の位置と第２断面外形線の位置との差）を考慮して干渉有無チェックを行う装置として実現しておくことも出来る。
【００１２】
また、車両用ボデー設計支援装置の判定手段を、前記軌跡面と前記第２部材とが示されている画像を表示装置に表示する機能を有する手段としておけば、オペレータが、表示装置に表示される画像から干渉している部分（修正が必要な部分）を簡単に把握できる車両用ボデー設計支援装置を実現できることになる。
【００１３】
そして、本発明の、ヒンジセンターを中心に回転する第１部材が第２部材と接触することなく回転可能であるか否かを判定するための車両用ボデー設計支援方法は、コンピュータに、前記第１部材及び前記第２部材の形状と、前記第１部材、前記第２部材及び前記ヒンジセンターの位置関係とを示す評価対象車両情報に基づき、前記第１部材と前記第２部
材との間の間隙形状を示す線である境界形状線と交わる複数の面で切断した前記第１部材の各切断面の外形線である断面外形線を表す断面外形線情報を作成する断面外形線情報作成ステップと、前記断面外形線情報作成ステップにより作成された各断面外形線情報と前記評価対象車両情報とに基づき、各断面外形線情報が表している断面外形線上の前記ヒンジセンターから距離が最も短い点の位置を特定すると共に、位置を特定した各点を通るかじりハード線を表すかじりハード線情報を作成するかじりハード線情報作成ステップと、前記かじりハード線情報作成ステップにより作成された前記かじりハード線情報と前記評価対象車両情報とに基づき、前記かじりハード線情報が表している前記かじりハード線を前記ヒンジセンターを中心に回転させた場合における前記かじりハード線の軌跡面を表す軌跡面情報を作成する軌跡面情報作成ステップと、前記軌跡面情報作成ステップにより作成された前記軌跡面情報と前記評価対象車両情報とに基づき、前記軌跡面情報が表している前記軌跡面と前記第２部材との間の隙間があるか否かを判定して判定結果を出力する判定ステップとを実行させるものとなっている。
【００１４】
従って、この車両用ボデー設計支援方法は、干渉有無チェックが短時間で行える、情報が不足しているため３Ｄモデリングを行えない場合にも利用できる方法であることになる。
【発明の効果】
【００１５】
本発明によれば、干渉有無チェック〔ヒンジセンターを中心に回転する第１部材（フード等）が第２部材（フェンダ等）と接触することなく回転可能であるか否かの判定〕が短時間で行える車両用ボデー設計支援装置及び車両用ボデー設計支援方法であって、情報が不足しているため３Ｄモデリングを行えない場合にも利用できる車両用ボデー設計支援装置及び車両用ボデー設計支援方法を提供することが出来る。
【発明を実施するための最良の形態】
【００１６】
以下、本発明を実施するための最良の形態を、図面を参照して詳細に説明する。
【００１７】
図１に模式的に示してあるように、本発明の一実施形態に係る車両用ボデー設計支援装置１０は、コンピュータ本体１１、キーボード、ディスプレイ１２等からなる装置（いわゆるコンピュータ／コンピュータシステム）に車両用ボデー設計支援プログラムをインストールした装置である。
【００１８】
車両用ボデー設計支援プログラムは、コンピュータ本体１１、キーボード等からなる装置を、各種の干渉有無判定処理を実行可能な装置（つまり車両用ボデー設計支援装置１０）として機能させるプログラムである。
【００１９】
車両用ボデー設計支援装置１０（車両用ボデー設計支援プログラム）が実行する各干渉有無判定処理は、車両が備える特定の開閉部材（フェンダ、ドア等の開閉／回転する部材）が、他の部材と接触することなく（他の部材をかじることなく）開閉可能であるか否かを判定するための処理（開閉部材毎に用意されている処理）である。
【００２０】
車両用ボデー設計支援装置１０が実行可能な各干渉有無判定処理は、本質的には、同内容／同手順の処理となっている。このため、以下では、車両用ボデー設計支援装置１０が実行する、フード用の干渉有無判定処理（以下、フード用干渉有無判定処理と表記する）の内容のみを説明することにする。
【００２１】
車両用ボデー設計支援装置１０が実行する、フード用干渉有無判定処理は、図２に示した手順の処理である。
【００２２】
すなわち、このフード用干渉有無判定処理を開始した場合、車両用ボデー設計支援装置１０は、まず、オペレータによって指定された車両情報（車両用ボデー設計支援装置１０がアクセス可能な装置／媒体に記憶されているもの）を、評価対象車両情報として、自装置内のＲＡＭ上に読み込む評価対象車両情報読込処理（ステップＳ１０１）を行う。
【００２３】
この評価対象車両情報読込処理時に車両用ボデー設計支援装置１０に読み込ませることが必要な車両情報（車両の各部の形状及び位置関係を示すデータからなる情報／車両の設計データ）は、既存のものと同じ構成（データ構造）を有する情報である。このため、車両情報の詳細説明は省略するが、フード用干渉有無判定処理（図２の処理）は、少なくとも、フード周辺の各部の形状、位置関係が分かる車両情報を入力すれば（読み込ませれば）良い処理となっている。また、フード用干渉有無判定処理は、それに基づき３Ｄモデリングが行えない車両情報を入力しても、不備があるため３Ｄモデリングが行えない車両情報を入力しても良い処理となっている。
【００２４】
評価対象車両情報読込処理を終えた車両用ボデー設計支援装置１０は、ＲＡＭ上の評価対象車両情報に基づき、評価対象範囲を特定する処理（ステップＳ１０２）を行う。このステップＳ１０２の処理は、図３に示してあるような範囲を、評価対象範囲として特定する処理である。すなわち、ステップＳ１０２の処理は、フード・フェンダ間の間隙形状を示すフード・フェンダ境界形状線（フードの、フェンダと対向している面のフェンダに最も近い点を繋いだ線等）の全範囲から、ヒンジセンターから離れた側の、フード・フェンダ境界形状線が直線状になっている範囲（つまり、干渉／かじりが生じないことが明らかな範囲）を除いた範囲を、評価対象範囲として特定する処理となっている。
【００２５】
評価対象範囲を特定した車両用ボデー設計支援装置１０は、評価対象車両情報に基づき、フードの評価対象範囲内の部分、フェンダの評価対象範内の部分のそれぞれについて、複数の断面外形線情報を作成する処理（ステップＳ１０３）を行う。
【００２６】
このステップＳ１０３の処理にて作成される断面外形線情報は、フード／フェンダを、フード・フェンダ境界形状線の評価対象範囲内にある部分と直交する面で切断することによって得られる断面の、フェンダ／フードと対向する側の外形線（以下、断面外形線と表記する）を表す情報である。そして、ステップＳ１０３の処理は、そのような断面外形線情報を、図４に模式的に示してあるように、各断面間がほぼ等間隔となるように作成していく処理となっている。
【００２７】
ステップＳ１０３の処理を終えた車両用ボデー設計支援装置１０は、作成したフードに関する断面外形線情報群に基づき、設定されているバラツキ考慮条件情報に従った数及び内容の第２種断面外形線情報群を作成する処理（ステップＳ１０４）を行う。
【００２８】
ここで、バラツキ考慮条件情報とは、移動方向、移動距離及び回転角度を指定する幾つかの（０個以上の）要素条件情報情報からなる情報のことである。このバラツキ考慮条件情報は、オペレータが車両用ボデー設計支援装置１０に対して設定しておくことが出来る情報となっており、ステップＳ１０４の処理は、当該バラツキ考慮条件情報中の要素条件情報毎に、“ステップＳ１０３の処理で生成した各断面外形線情報が表している断面外形線を、その要素条件情報が示している条件で平行移動及び／或いは回転させた線分を表す第２種断面外形線情報を作成する”処理となっている。
【００２９】
ステップＳ１０４の処理を終えた車両用ボデー設計支援装置１０は、作成したフードに関する断面外形線情報群（オリジナルの断面外形線情報群、第２種断面外形線情報群）毎に、各断面外形線情報が表している断面外形線上の、ヒンジセンターに最も近いかじりハード点の座標を求め、求めた座標群から、各かじりハード点を通るかじりハード線を表す
かじりハード線情報を作成する処理（ステップＳ１０５）を行う。
【００３０】
すなわち、車両用ボデー設計支援装置１０は、図５に示したようなかじりハード線（全てのかじりハード点を通る線分）を表すかじりハード線情報を、作成したフードに関する各断面外形線情報群について作成する処理を行う。
【００３１】
ステップＳ１０５の処理を終えた車両用ボデー設計支援装置１０は、断面外形線情報或いは第２種断面外形線情報に基き作成したかじりハード線情報毎に、そのかじりハード線情報が表しているかじりハード線をヒンジセンターを中心に回転することによって得られる軌跡面（以下、かじりハード面と表記する）を表すかじりハード面情報（本発明の軌跡面情報に相当）を作成する処理（ステップＳ１０６）を行う。
【００３２】
すなわち、このステップＳ１０６では、図６に示してあるような形状のかじりハード面を表すかじりハード面情報が、各かじりハード線情報について作成される。
【００３３】
ステップＳ１０６の処理を終えた車両用ボデー設計支援装置１０は、作成したかじりハード面情報毎に、そのかじりハード面情報が表しているかじりハード面と、フェンダとの間に隙間があるか否かを判定する処理（ステップＳ１０７）を行う。このステップＳ１０７の処理は、図７に示してあるように、かじりハード面と、フェンダに関する各断面形状線との位置関係をチェックする処理である。そして、ステップＳ１０７の処理は、図８、図９に示してあるように、全ての断面形状線とかじりハード面との間に隙間があった場合（図８）に、かじりハード面とフェンダとの間に隙間がある（干渉／かじりなし）と判定し、かじりハード面との間に隙間がない断面形状線が存在していた場合（図９）に、かじりハード面とフェンダとの間に隙間がない（干渉／かじりあり）と判定する処理となっている。
【００３４】
ステップＳ１０７の処理を終えた車両用ボデー設計支援装置１０は、処理結果表示処理（ステップＳ１０８）を行う。
【００３５】
この処理結果表示処理は、ステップＳ１０７の処理の処理結果（判定結果）を、かじりハード面情報毎に、要素条件情報等と共に、ディスプレイ１２の画面上に表示する処理である。なお、処理結果表示処理は、或る判定結果を選択する操作がなされた場合には、その判定結果が得られたかじりハード面情報が表しているかじりハード面とフェンダとが示されている画像、例えば、図１０や図１１に示したような画像を、ディスプレイ１２の画面上に表示する処理ともなっている。
【００３６】
車両用ボデー設計支援装置１０は、この処理結果表示処理を、フード用干渉有無判定処理の終了指示、或いは、車両情報の修正開始指示が入力されたときに（各指示に対応づけられている操作がなされたときに）、終了する。
【００３７】
車両用ボデー設計支援装置１０は、車両情報の修正開始指示の入力により処理結果表示処理を終了した場合（ステップＳ１０９；修正）には、ＲＡＭ上の評価対象情報をオペレータの指示に従って修正する評価対象車両情報修正処理（ステップＳ１１０）を行ってから、ステップＳ１０２以降の処理を開始する。そして、車両用ボデー設計支援装置１０は、フード用干渉有無判定処理の終了指示の入力により処理結果表示処理を終了したとき（ステップＳ１０９；終了）に、フード用干渉有無判定処理（図２の処理）を終了する。
【００３８】
以上の説明から明らかなように、本実施形態に係る車両用ボデー設計支援装置１０は、３Ｄモデリングを必要としない比較的に単純な内容の処理（図２）により、干渉有無チェック〔ヒンジセンターを中心に回転するフードがフェンダと接触することなく回転可能で
あるか否かの判定〕を行う構成を有している。従って、この車両用ボデー設計支援装置１０を用いておけば、３Ｄモデリング後に干渉有無チェックを行う装置を用いた場合よりも、干渉有無チェックが短時間で完了することになる。また、車両用ボデー設計支援装置１０は、評価対象車両情報に含まれるフードに関する情報が、３Ｄモデルを生成できないものであっても、複数の断面外形線情報を作成できるものであれば、干渉有無チェックを行える装置となっている。従って、車両用ボデー設計支援装置１０を用いれば、情報が不足しているため３Ｄモデリングを行えない場合にも干渉有無チェックを行えることになる。
【００３９】
また、車両用ボデー設計支援装置１０は、バラツキ考慮条件情報（幾つかの要素条件情報）を設定しておけば、図１２に模式的に示してあるように、建付誤差がない場合の干渉有無チェックと共に、建付誤差がある場合の干渉有無チェックを行う装置となっている。このため、この車両用ボデー設計支援装置１０を用いておけば、建付バラツキがあっても、フェンダ等の開閉時に問題が生じない車両を設計できることにもなる。
【００４０】
さらに、車両用ボデー設計支援装置１０は、図１０、図１１に示したような画像を表示する機能を有している。従って、車両用ボデー設計支援装置１０を用いておけば、干渉している部分（修正が必要な部分；図１１参照）を簡単に把握できることにもなる。
【００４１】
《変形形態》
上記した車両用ボデー設計支援装置１０は、各種の変形を行うことが出来る。例えば、車両用ボデー設計支援装置１０を、フードに関する断面形状線情報として、フードを、ヒンジセンターに平行な面（フードとの交点（かじりハード点相当の点）からの法線がヒンジセンターを通る面）で切断することによって得られる断面の外形線を表す情報を作成する装置に変形することが出来る。ただし、一般的な車両情報は、上記断面形状線情報の方が求めやすいものとなっているので、上記断面形状線情報が作成されるようにしておくことが好ましい。
【図面の簡単な説明】
【００４２】
【図１】本発明の一実施形態に係る車両用ボデー設計支援装置の外観図である。
【図２】実施形態に係る車両用ボデー設計支援装置が実行可能なフード用干渉有無判定処理の流れ図である。
【図３】フード用干渉有無判定処理時に特定される評価対象範囲の説明図である。
【図４】フード用干渉有無判定処理時に作成される断面外形線情報の説明図である。
【図５】フード用干渉有無判定処理時に作成されるかじりハード線情報の説明図である。
【図６】フード用干渉有無判定処理時に作成されるかじりハード面情報の説明図である。
【図７】フード用干渉有無判定処理中のステップＳ１０７の処理内容を説明するための図である。
【図８】フード用干渉有無判定処理中のステップＳ１０７の処理内容を説明するための図である。
【図９】フード用干渉有無判定処理中のステップＳ１０７の処理内容を説明するための図である。
【図１０】フード用干渉有無判定処理により表示される画像の一例を示した図である。
【図１１】フード用干渉有無判定処理により表示される画像の他の例を示した図である。
【図１２】車両用ボデー設計支援装置が有している機能の説明図である。
【図１３】従来のＣＡＤシステムによる干渉有無チェック手順を説明するための流れ図である。
【符号の説明】
【００４３】
１０・・・車両用ボデー設計支援装置
１１・・・コンピュータ本体
１２・・・ディスプレイ
【図１】
0005029496.tif 000002
【図２】
0005029496.tif 000003
【図３】
0005029496.tif 000004
【図４】
0005029496.tif 000005
【図５】
0005029496.tif 000006
【図６】
0005029496.tif 000007
【図７】
0005029496.tif 000008
【図８】
0005029496.tif 000009
【図９】
0005029496.tif 000010
【図１０】
0005029496.tif 000011
【図１１】
0005029496.tif 000012
【図１２】
0005029496.tif 000013
【図１３】
0005029496.tif 000014